(57)【特許請求の範囲】
【請求項１】
下方に開口した筒状ハウジングと、該ハウジングの下部に嵌合するベースからなるスイッチ本体と該スイッチ本体内を略水平に仕切部を設けて上下に分割し、該仕切部上部に球体を遊動自在に載置し、該球体下方に前記仕切部を貫通するプランジャを上下動自在に配設するとともに該プランジャの上下動によって開閉するスイッチ部材を前記ベースに設けた傾斜スイッチにおいて、鍔部を周設した円盤状弾性部材からなるカバーを設けて前記ベースの上面部を覆うとともに前記仕切部と前記ベース間で前記鍔部を挟持圧接するとともにハウジング内周面とも密着させて傾斜スイッチ内部を密閉し、しかも前記カバーを前記プランジャに係合して前記プランジャへの上方復帰力を付勢したことを特徴とする傾斜スイッチ。
【請求項２】
前記プランジャの下部に磁石を配設するとともに該磁石の下方の前記ベース内に密閉封止型のリードスイッチを配置したことを特徴とする請求項１記載の傾斜スイッチ。
【請求項３】
前記仕切部上面に円筒壁を立設して前記球体の中央位置での動きを制限したことを特徴とする請求項１及び請求項２記載の傾斜スイッチ。
【発明の詳細な説明】
【０００１】
【発明の属する技術分野】
本発明は、機器の転倒を検知して電力を遮断するために設けられる傾斜スイッチに関する。
【０００２】
【従来の技術】
従来、球体の転がりを利用した傾斜スイッチには、図４に示すように球体面からの反射や球体による光路の遮蔽を利用して発光体からの光を受光素子で検出する光学式のものや、図５に示すように球体１２０の自重によりマイクロスイッチやリーフスイッチの接点１０６を直接開閉するもの、および図６に示すように球体そのものを可動接点１８０として用いる機械式のものがある。
【０００３】
【発明が解決しようとする課題】
光学式の傾斜スイッチは発光素子を常時点灯しておく必要があるため、長期間に渡り、僅かではあるが電力を消費し続けるという問題がある。
また、従来の機械式のものにあっては、球体の自重を利用して直接的または間接的に接点を開閉するため一定以上の球体の大きさが必要であり、傾斜スイッチ本体が大きくなるという欠点があった。
さらに、球体そのものを可動接点として用いるものにあっては長期間の使用と外部環境の影響を考慮して、接点部分には貴金属メッキが必要であり、球体全体のメッキ処理費用がコスト高の要因となっていた。
本発明はこうした問題を解決し、消費電力が無く、しかも長期間の使用による劣化が少ない安価で品質に優れる傾斜スイッチを得る目的で発明されたものである。
【０００４】
【課題を解決するための手段】
本発明は上記の問題点を解決するために、下方に開口した筒状ハウジングと、このハウジングの下部に嵌合するベースからなる傾斜スイッチ本体内を略水平に仕切部を設けて上下に分割し、仕切部上部に球体を遊動自在に載置し、球体下方に仕切部を貫通するプランジャを上下動自在に配設し、このプランジャの上下動によって開閉するスイッチ部材をベースに配置する。そして鍔部を周設した円盤状弾性部材からなるカバーを設けてベースの上面部を覆うとともに仕切部とベース間で鍔部を挟持圧接するとともにハウジング内周面とも密着させて傾斜スイッチ内部を密閉し、しかもカバーをプランジャに係合してカバーの弾性力を利用してプランジャへの上方復帰力を付勢する。
また、プランジャの下部に磁石を配設するとともにこの磁石の下方のベース内に密閉封止型のリードスイッチを配置する。
さらに、球体が中央位置で安定するように仕切部上面に円筒壁を立設する。
【０００５】
【発明の実施の形態】
本発明の傾斜スイッチは円盤状弾性部材を用いてプランジャに微小な復帰力を付勢することができるため、傾斜スイッチの小型化を図ることができるとともに構造が極めて簡単で安価な密閉型の傾斜スイッチを構成することができる。
また、接点部に封止型リードスイッチを使用することにより、長期間の使用によって接点が腐食することが無い品質に優れた傾斜スイッチを提供することができる。
さらに、傾斜を検知する球体の動きに中央部で一定の制限を与えることにより、安定した検出動作を確保することができるため、僅かな振動等による誤動作を防止することができる。
【０００６】
【実施例】
以下、本実施例について図面を参照しながら説明する。
図１は本発明の傾斜スイッチの実施例を表す正面断面図、図２はその分解斜視図、図３はその傾斜状態を表す断面図である。
【０００７】
これらの図においてベース１の内底面部にはリードスイッチ５が収納される溝部２が形成され、コの字状に端子７を折り曲げた密閉封止型リードスイッチ５が配設固定されている。そして前記ベース１の上面に合成ゴムやポリエラストマー等弾性部材からなる円盤状のカバー１３を被せるとともにカバー１３の中央部に孔部１５を設け、リードスイッチ５を切換えるための磁石８を下部に配設したプランジャ９をプランジャ軸部１０に設けた鍔部１２をカバー１３の孔部１５に嵌め込み掛止している。
【０００８】
さらに、前記カバー１３の上方から仕切部となる仕切板１７を被せた後、球体２０を前記仕切板１７に遊動自在に載置し、上方からハウジング２１をハウジング２１の側面に設けた嵌合孔２２をベース１の嵌合凸部４に掛止している。
【０００９】
この際、カバー１３の外周に形成された鍔部１４を仕切板１７とベース１間で強く挟持するため、前記鍔部１４が上下に圧接されると同時に外周方向にも広がりハウジング２１の内周面とも圧接されるので傾斜スイッチ全体を密閉状態に保つことができる。
【００１０】
また、前記仕切板１７の中央部にプランジャ９の軸部１０を貫通する孔部１８が穿設されるとともに、前記カバー１３の円盤部１６は外力が加わらない状態で平坦に形成されているので、球体２０の自重による押下力が伝達されていない状態でプランジャ９は仕切板１７の直下へ押し上げられている。
このプランジャ９の上方復帰力はカバー１３の形状や厚さ等により変化するため、これらにより感度の設定が可能である。
【００１１】
さらに前記カバー１３には貫通する小さな孔が穿設され（図示せず）、仕切られた上下空間の空気の流通経路を形成しているので、カバー１３とベース１間で空気が封じ込められてカバーの撓みを阻害することがないように配慮されている。
【００１２】
以上のように構成された本発明の傾斜スイッチは、図１の正立状態にある場合、球体２０の自重によりプランジャ９が下方に押し下げられるため、磁石８がリードスイッチ５に近接してリードスイッチ５の接点６をオンする。そして図３の状態に傾斜すると球体２０がプランジャ９上から外れて球体２０の重量がプランジャ９から開放されるので、カバー１３の復元力により、プランジャ９とともに該プランジャ９に固定された磁石８がリードスイッチ５から離れるため、リードスイッチ５の接点６がオフするように作用する。
【００１３】
仕切板１７には上面に円筒壁１９が周設されているので、球体２０の中立状態での座りが良く、僅かな振動や衝撃で誤動作することを防止している。
また、検知傾斜角や検知感度の設定変更はこの円筒壁１９の内径を変えることにより、極めて容易に対応することができる。
【００１４】
なお、リードスイッチ５は磁石８の近接により対向した接点６が閉成するものや、常時閉成状態で磁石８の近接により開成するもの、および切換型のもの等、用途により種々選定することが可能である。
【００１５】
本発明による傾斜スイッチは接点部をリードスイッチにより構成しているので、傾斜スイッチ本体は密閉構造としない場合でも長期的に安定した接触信頼性を維持することができるという優れた特徴を有することができる。
【００１６】
【発明の効果】
以上、詳細に説明したように、本発明によれば、次のような効果を奏することができる。
（１）鍔部を周設した円盤状弾性部材からなるカバーを設けて前記ベースの上面部を覆うとともに前記仕切部と前記ベース間で前記鍔部を挟持圧接してハウジング内周面とも密着させたので、密閉性の高い傾斜スイッチを構成することができる。
（２）円盤状弾性部材にプランジャを掛止して上方復帰力を付勢したので、カバーの形状、厚さ等により、プランジャに微小な復帰力を付勢することができるため、傾斜スイッチの小型化を図るとともに構造が極めて簡単で、安価な傾斜スイッチを提供することができる。
（３）プランジャ下部に磁石を配設し、しかも磁石の下方にこの磁石の近接により接点が切換わるリードスイッチを配設したので、長期間の使用によって接点が腐食することが無く、品質に優れた傾斜スイッチを得ることができる。
（４）遊動自在に配設した球体の下方にプランジャを上下動自在に配設するとともにプランジャ下部に磁石を配設し、しかも該磁石の下方にこの磁石の近接により接点が切換わるリードスイッチを配設したので、小さな球体を使用することが可能となり、傾斜スイッチ本体の大きさも小さくすることができる。
また、リードスイッチのオン領域に対する磁石の近接距離に一定の余裕があるため、機械式接点を直接切換える方式と比べ、振動等に対して安定した接触を確保することができる。
（５）遊動自在に配設した球体の下方にプランジャを上下動自在に配設するとともにプランジャ下部に磁石を配設し、しかも該磁石の下方にこの磁石の近接により接点が切換わるリードスイッチを配設したので、電力を消費しない安価な傾斜スイッチを提供することができる。
（６）仕切部上面に円筒壁を立設して前記球体の中央位置での動きを制限したので、安定した検出動作を確保して、僅かな振動等による誤動作を防止することができる。
（７）仕切部上面に円筒壁を立設して前記球体の中央位置での動きを制御することができるため、検知傾斜角や検知感度の設定変更が前記円筒壁の内径を変えることにより、容易に対応することができる。
【図面の簡単な説明】
【図１】  本発明の傾斜スイッチの実施例を表す正面断面図である。
【図２】  本発明の傾斜スイッチの実施例を表す分解斜視図である。
【図３】  本発明の傾斜スイッチの実施例の傾斜状態を表す断面図である。
【図４】  従来の光学式傾斜スイッチを表す正面断面図である。
【図５】  従来の機械式傾斜スイッチを表す正面断面図である。
【図６】  従来の他の機械式傾斜スイッチを表す正面断面図である。
【符号の説明】
１、１０１、１５１    ベース
２    溝部
３    穴部
４    嵌合凸部
５    リードスイッチ
６、１０６    接点
７、１０７    端子
８    磁石
９、１０９    プランジャ
１０    軸部
１１    ガイド部
１２、１４    鍔部
１３    カバー
１５、１８    孔部
１６    円盤部
１７、１１７    仕切板
１９    円筒壁
２０、１２０    球体
２１、１２１、１７１    ハウジング
２２    嵌合孔
２３    取付部
２４    欠所
１５６    受発光素子
１８０    可動接点
１８１、１８２    電極
１８３    絶縁体
【図１】
0004144677.tif 000002
【図２】
0004144677.tif 000003
【図３】
0004144677.tif 000004
【図４】
0004144677.tif 000005
【図５】
0004144677.tif 000006
【図６】
0004144677.tif 000007